(57)【特許請求の範囲】
【請求項１】
鋳物砂で造型した砂型と、
前記砂型の中に埋められた消失模型と、
前記砂型の上に開口し、その開口から前記消失模型までつながって溶湯の通り穴となる湯道と、
前記砂型の上に一端が上向きに開口し、他端が前記消失模型につながり、前記砂型の上から前記消失模型まで管内で通気可能とする排気管と、
前記排気管の一端から吹き出す溶湯の流れを、前記砂型に向けて折り返すように、前記排気管の一端を覆う蓋を備え、
前記蓋が、前記排気管の一端の開口を臨む面を有する遮蔽板と、前記遮蔽板の周縁から下に伸びる側壁と、前記側壁の下に突出する脚部とからなるフルモールド鋳造装置。
【請求項２】
前記蓋の内面に塗型が塗布されていることを特徴とする請求項１に記載のフルモールド鋳造装置。
【発明の詳細な説明】
【技術分野】
【０００１】
本発明は、フルモールド鋳造装置に関し、より詳しくは、注湯時に鋳型内で発生するガスを鋳型の外へ排出するための排気管を備えたフルモールド鋳造装置に関するものである。
【背景技術】
【０００２】
従来から、鋳物を作る鋳造法の一つとして、フルモールド法が広く使われてきた。このフルモールド法は、消失模型鋳造法とも言われ、発泡ポリスチレンなどを成型して作られた消失模型を鋳物砂に埋めて鋳型を造り、その鋳型に溶湯を注湯して、消失模型を熱分解させながら溶湯と置換し、消失模型と同一形状の鋳物製品を得る鋳造法である。
【０００３】
消失模型は熱分解するとガス化し、そのガスは鋳型を通じて鋳型の外へ出ていく。しかし、鋳型の通気性が不足した場合は、鋳型内の圧力が上昇して、鋳型の変形による鋳造不良が発生する場合がある。
また、注湯中の鋳型内の溶湯には、消失模型の燃え残り（残渣）やノロ等の異物が浮いている。この異物は鋳物製品の外部へ排出する必要がある。
【０００４】
消失模型のガス化で上昇した鋳型内の圧力と、鋳型内の溶湯に浮いた異物を外へ出すために、フルモールド法においても、鋳型内と外部をつなぐガス抜き用の排気管を設けることがある。
【０００５】
図５は、ガス抜き用の排気管を設けた従来のフルモールド鋳造装置の縦断面図であり、（ａ）は注湯前、（ｂ）は注湯中の状態を表している。
このフルモールド鋳造装置ｃ’は、主に、鋳型９と注湯口５から構成されている。
鋳型９は、鋼製の鋳枠４と、鋳枠の中で鋳物砂７に埋められた消失模型１と、鋳枠内の鋳物砂で造型された砂型１１と、砂型の上面と消失模型の下部をつなぐ湯道６と、消失模型の上部から砂型の上まで鉛直方向に伸びて開口する円筒形の排気管８と、からなる。
注湯口５は、鋳物砂等（耐火材）を漏斗状に成型した物であり、鋳型内に溶湯を流し込むために、湯道の開口部に設けられる。
【０００６】
注湯口５に溶湯を注ぐと、溶湯は、湯道６を通って消失模型１の下部に流れ込み、消失模型を熱分解しながら、消失模型と同一形状で鋳型内に充填されていく。消失模型と排気管８との接続部分まで熱分解が進むと、注湯により発生したガスが排気管８の中を通って鋳型の外部へ排出される。
注湯した溶湯が凝固して鋳物が出来たら、鋳型の中から鋳物製品を取り出す。
【０００７】
このフルモールド法では、消失模型の熱分解でガスが発生し、鋳型内の圧力が高くなるため、消失模型と排気管８との接続部分まで熱分解が進んで、圧力が開放された時に、溶湯の一部が、ガスと一緒に排気管に沿って上に吹き出すことがある。（図５（ｂ）中の白抜き矢印を参照）
このような溶湯の吹き出しは、注湯作業の安全性を著しく阻害していた。
【０００８】
溶湯の吹き出しを防止する技術として、消失模型の熱分解で発生するガスの排出速度を抑えるフィルターを排気管の中に設置する技術が提案されている。（例えば、特許文献１参照）
【先行技術文献】
【特許文献】
【０００９】
【特許文献１】特開２００２−２１９５５２号公報
【発明の概要】
【発明が解決しようとする課題】
【００１０】
しかしながら、ガスの排出速度を抑えるフィルターを排気管の中に取り付ける場合、フィルターが使い捨てとなるため、鋳造毎にフィルターを用意する必要があり、コストがかかる。
また、フィルターを砂型内に埋め込む等の作業が必要となる。
さらに、フィルターの圧力損失や通気度を予め把握して、鋳造条件の異なる鋳物製品毎に、フィルターを選定し直す必要があり、煩わしい。
【００１１】
本発明は、フィルター使用及び設置のコストを削減し、コストをかけなくても注湯作業の安全性を確保できるフルモールド鋳造装置を提供することを課題とする。
【課題を解決するための手段】
【００１２】
上記課題を解決するために、本発明のフルモールド鋳造装置は、鋳物砂で造型した砂型と、前記砂型の中に埋められた消失模型と、前記砂型の上に開口し、その開口から前記消失模型までつながって溶湯の通り穴となる湯道と、前記砂型の上に一端が上向きに開口し、他端が前記消失模型につながり、前記砂型の上から前記消失模型まで管内で通気可能とする排気管と、前記排気管の前記一端から吹き出す溶湯の流れを、前記砂型に向けて折り返すように、前記排気管の前記一端を覆う蓋とを備え、前記蓋が、前記排気管の前記一端の開口を臨む面を有する遮蔽板と、前記遮蔽板の周縁から下に伸びる側壁と、前記側壁の下に突出する脚部とからなる構成とした。
【００１３】
これにより、溶湯が排気管に沿って吹き上がっても、蓋に当たって砂型に向けて流れ落ちるから、吹き出た溶湯が注湯作業者に向かう恐れがない。
【００１４】
また、本発明のフルモールド鋳造装置は、前記蓋の内面に塗型が塗布されているものとすることができる。これにより、蓋の内面への溶湯の融着を防ぎ、蓋を繰り返し使用することが出来る。
【発明の効果】
【００１５】
本発明のフルモールド鋳造装置は、消失模型の熱分解で発生するガスと一緒に排気管から吹き出す溶湯が、蓋に当たって向きを変え、周辺に飛散しないので、注湯作業の安全性を確保することができる。
【図面の簡単な説明】
【００１６】
【図１】本発明の実施形態におけるフルモールド鋳造装置の縦断面図である。
【図２】本発明の実施形態における蓋の斜視図である。
【図３】本発明の実施形態における溶湯の吹き上がり状態を説明する図である。
【図４】本発明の他の実施形態における蓋の斜視図である。
【図５】従来のフルモールド鋳造装置の縦断面図であり、（ａ）は注湯前、（ｂ）は注湯中を示す。
【発明を実施するための形態】
【００１７】
図１から図３を使って本発明の実施形態におけるフルモールド鋳造装置を説明する。
図１は、本発明の実施形態におけるフルモールド鋳造装置の縦断面図である。
【００１８】
このフルモールド鋳造装置ｃは、鋳物製品としてダクタイル鋳鉄管を鋳造する装置であり、主に、鋳型９と、鋳型内にダクタイル鋳鉄の溶湯を流し込むための注湯口５と、鋳型から吹き出す溶湯やガスを遮るための蓋１０と、から構成されている。
鋳型９は、既述の従来技術と同様に、鋼製の鋳枠４と、鋳枠内で鋳物砂７に埋められた消失模型１と、前記鋳枠内の鋳物砂で造型された砂型１１と、砂型の上面と前記消失模型の下部をつなぐ湯道６と、前記消失模型の上部から鉛直方向に前記砂型の上方まで伸びて開口する円筒形の排気管８と、から構成されている。
【００１９】
消失模型１は、鋳鉄管の形（円筒形状）に発泡ポリスチレンを成型した物であり、その表面（筒内面も含む）には鋳物砂の焼き付きを防ぐための塗型が塗布されている。
注湯口５は、鋳物砂（耐火材）を漏斗状に成型した物であり、砂型表面に現れる湯道の開口に載せられている。
蓋１０は、排気管８上端の開口を臨む遮蔽板１０ａと、遮蔽板の周縁の下に伸びる側壁１０ｂと、側壁の下に突出する脚部１０ｃとからなり、排気管８の開口（上端）を上から覆うように脚部の下端を砂型１１の上面に付けて、自立している。
【００２０】
蓋１０の内面（遮蔽板１０ａの下面や側壁１０ｂの内側面）と排気管８の上端との間には、隙間があり、排気管上端の開口は、塞がれずに蓋の中で開放されている。
また、蓋１０は、下に突出する脚部１０ｃで砂型の上に起立しており、側壁１０ｂの下端と砂型上面との間にも隙間があり、蓋１０の内側は外気と流通可能となっている。
【００２１】
図２は、蓋１０を拡大した斜視図である。
蓋１０は、鋼製であり、四角い平板の遮蔽板１０ａと、遮蔽板の周縁（四辺）で遮蔽板と直交する向きに固定されて下に伸びる四角い４枚の平板からなる側壁１０ｂと、遮蔽板の四隅で遮蔽板や側壁に固定され遮蔽板と直交する向きに伸びる４本の円形断面の脚部１０ｃと、から構成されている。
なお、遮蔽板１０ａと側壁１０ｂとの接続部分や側壁同士の接続部分は、溶接等により液密に仕上げられている。
【００２２】
図３は、溶湯の吹き上がり状態を説明する図である。
排気管８の上端開口部から蓋１０の遮蔽板１０ａの下面に向かって、溶湯ｍがガスｇと一緒に吹き出している。吹き出した溶湯ｍは、遮蔽板１０ａの下面に当たり、向きを上向きから横向きに変え、遮蔽板の下面に沿うように広がる。そして、側壁１０ｂの内側面に当たって、溶湯の向きは横向きから下向きに変わり、側壁に沿うようにして砂型の上面に流れ落ちる。（図３中の白抜き矢印を参照）
また、ガスｇは、排気管８上端の開口部から吹き出すと、遮蔽板１０ａや側壁１０ｂに遮られて向きを変え、側壁の下端と砂型の上面との隙間を通って、外気に流れ出る。
【００２３】
蓋の内面、すなわち遮蔽板の下面と側壁の内側面、には、予め塗型（耐火材）が塗布されているので、吹き出した溶湯がそれらの面に接触しても、融着することがなく、蓋は繰り返し使用することができる。
【００２４】
なお、本実施形態では、蓋は四角い平板からなる溶接構造物としたが、図４の（ａ）に示すような円筒形の蓋や、同（ｂ）に示すような、遮蔽板と側壁と脚部が一体成型された円形ドーム状の蓋も採用し得る。
【００２５】
また、本実施形態では、蓋を鋼製としているが、蓋の材質は鋼に限定する必要はなく、溶湯が当たっても燃えなくて、溶湯やガスの吹き出す圧力を受けても動かない重量を確保できればよい。
【００２６】
また、本実施形態では、消失模型１の上部に排気管８がつながる構成を示したが、排気管がつながる部分は、消失模型の上部に限られず、注湯時の排気管からの溶湯吹き出しを発生させる部分であればよい。同様に、湯道がつながる部分も消失模型の下部に限られない。
【符号の説明】
【００２７】
１  消失模型 
４  鋳枠
５  注湯口
６  湯道
７  鋳物砂
８  排気管
９  鋳型
１０  蓋
１０ａ  遮蔽板
１０ｂ  側壁
１０ｃ  脚部
１１  砂型
ｃ  フルモールド鋳造装置
ｍ  溶湯
ｇ  ガス
【図１】
0005883704.tif 000002
【図２】
0005883704.tif 000003
【図３】
0005883704.tif 000004
【図４】
0005883704.tif 000005
【図５】
0005883704.tif 000006